(57)【要約】【課題】短筒体と第１アームを相互に圧接状に摺動させたときに、最初に低い音を発生させることができる擬音発生器具を提供する。【解決手段】木製の薄肉共鳴短筒体３と、短筒体３の一端４に摺接して発音する摺接凹面５を先端部３０に有する第１アーム１と、短筒体３の他端６に微小角度揺動可能に圧接する圧接面７を先端部３１に有する第２アーム２と、を備える。第１アーム１の先端部３０と、第２アーム２の先端部３１と、短筒体３とを、串刺し状に挿通して締め付ける圧接バネ付きボルト・ナット機構Ｂと、を備える。【選択図】  図３
2004212764.tif 000002
【特許請求の範囲】
【請求項１】
木製の薄肉共鳴短筒体（３）と、該短筒体（３）の一端（４）に摺接して発音する摺接凹面（５）を先端部（３０）に有する第１アーム（１）と、上記短筒体（３）の他端（６）に微小角度揺動可能に圧接する圧接面（７）を先端部（３１）に有する第２アーム（２）と、を備え、さらに、上記第１アーム（１）の先端部（３０）と、上記第２アーム（２）の先端部（３１）と、上記短筒体（３）とを、串刺状に挿通して締め付ける圧接バネ付きボルト・ナット機構（Ｂ）と、を備えたことを特徴とする擬音発生器具。
【請求項２】
第１アーム（１）の第１アーム本体１５の先端部（３２）には、摺接凹面（５）を有する木製の摺接片（１２）が交換自在に付設されている請求項１記載の擬音発生器具。
【請求項３】
年輪（１８）が、平面視に於て、短筒体（３）の一端（４）と摺接する側に凸となるように、摺接片（１２）を配設した請求項２記載の擬音発生器具。
【請求項４】
年輪（１８）が、平面視に於て、ボルト・ナット機構（Ｂ）のボルト（９）の長手方向に、平行な年輪（１８）を多数有するように、摺接片（１２）を配設した請求項２記載の擬音発生器具。
【請求項５】
共鳴用第１中空室（１４）が、第１アーム（１）の摺接凹面（５）の裏面（３３）側の内部に、形成されている請求項１，２，３又は４記載の擬音発生器具。
【請求項６】
短筒体（３）の一端（４）に於ける厚さ（ｔ１  ）を、３ｍｍ≦ｔ１  ≦７ｍｍに設定し、該短筒体（３）の他端（６）に於ける厚さ（ｔ２  ）を、  ０．５ｍｍ≦ｔ２  ≦３ｍｍ  に設定し、該短筒体（３）の厚さ（ｔ）が、上記一端（４）から上記他端（６）にかけて、なだらかに減少するように構成した請求項１，２，３，４又は５記載の擬音発生器具。
【請求項７】
第２アーム（２）が、貫通孔（１１）と連通する音噴出孔（１７）を有する請求項１，２，３，４，５又は６記載の擬音発生器具。
【発明の詳細な説明】
【０００１】
【発明の属する技術分野】
本発明は、擬音発生器具に関する。
【０００２】
【従来の技術】
従来の擬音発生器具は、木製の短筒体、第１アーム、及び、第２アームを備え、短筒体と第１アームと第２アームを串刺状に挿通して締め付ける圧接バネ付きボルト・ナット機構を備えたものが公知である（例えば、特許文献１参照）。
【０００３】
【特許文献１】
特開２００１−３３１１８５号公報
【０００４】
【発明が解決しようとする課題】
しかしながら、短筒体の一端側が、第１アームに形成された摺接凹面と摺接するとともに、短筒体の他端側が、第２アームに埋設状に固着されているため、短筒体と第１アームとを相互に圧接状に摺動させたときに、一様な高い音のみが発生していた。
【０００５】
そこで、本発明は、短筒体と第１アームを相互に圧接状に摺動させたときに、最初に低い音を発生させることができる擬音発生器具を提供することを目的とする。また、共鳴によって大きな音を発生することができる擬音発生器具を提供することを他の目的とする。また、発生した擬音を外部に噴出しやすい擬音発生器具を提供することを他の目的とする。また、摺接部を交換することができ、長期間使用することができる擬音発生器具を提供することを他の目的とする。
【０００６】
【課題を解決するための手段】
上述の目的を達成するために、本発明に係る擬音発生器具は、木製の薄肉共鳴短筒体と、該短筒体の一端に摺接して発音する摺接凹面を先端部に有する第１アームと、上記短筒体の他端に微小角度揺動可能に圧接する圧接面を先端部に有する第２アームと、を備え、さらに、上記第１アームの先端部と、上記第２アームの先端部と、上記短筒体とを、串刺状に挿通して締め付ける圧接バネ付きボルト・ナット機構と、を備えたものである。
【０００７】
また、第１アームの第１アーム本体の先端部には、摺接凹面を有する木製の摺接片が交換自在に付設されているものである。また、年輪が、平面視に於て、短筒体の一端と摺接する側に凸となるように、摺接片を配設したものである。また、年輪が、平面視に於て、ボルト・ナット機構のボルトの長手方向に、平行な年輪を多数有するように、摺接片を配設したものである。
【０００８】
また、共鳴用第１中空室が、第１アームの摺接凹面の裏面側の内部に、形成されているものである。また、短筒体の一端に於ける厚さｔ１  を、３ｍｍ≦ｔ１  ≦７ｍｍに設定し、該短筒体の他端に於ける厚さｔ２  を、  ０．５ｍｍ≦ｔ２  ≦３ｍｍに設定し、該短筒体の厚さが、上記一端から上記他端にかけて、なだらかに減少するように構成したものである。また、第２アームが、貫通孔と連通する音噴出孔を有するものである。
【０００９】
【発明の実施の形態】
以下、実施の形態を示す図面に基づき、本発明を詳説する。
【００１０】
図１は、本発明の第１の実施の形態の使用状態を示す。この擬音発生器具は、（後述の）第１アーム１と、第２アーム２を把持して、これらを相互に揺動させることにより、擬音を発生させることができる。この擬音は、特に、民謡（例えば、淀川三十石舟唄）や芝居等で船をこぐ場面に用いられる櫓のきしむ音とする。
【００１１】
図２・図３に示すように、この擬音発生器具は、木製の薄肉共鳴短筒体３と、短筒体３の一端４に摺接して発音する摺接凹面５を先端部３０に有する木製の第１アーム１と、短筒体３の他端６に微小角度揺動可能（詳細は後述する）に圧接する圧接面７を先端部３１に有する木製の第２アーム２と、を備える。短筒体３の一端４は、面取りされた（丸み乃至傾斜を帯びた）環状の周縁端部２９を有する。
【００１２】
また、擬音発生器具は、第１アーム１の先端部３０と、第２アーム２の先端部３１と、短筒体３とを、串刺状に挿通して締め付ける圧接バネ付きボルト・ナット機構Ｂを備える。すなわち、８は圧接バネを示し、９はボルトを示し、１０はナットを示す。第２アーム２は、貫通孔１１を有し、この貫通孔１１にボルト９が挿通される。短筒体３は、ボルト９とナット１０を締め付けた使用状態に於て、第１アーム１及び第２アーム２から圧縮力Ｆ，Ｆを受けて、外方へ張った状態とされ、短筒体３の一端４と摺接凹面５との摺接によって発生した音と共鳴しやすい。
【００１３】
第１アーム１の第１アーム本体１５の先端部３２には、摺接凹面５を有する木製の摺接片１２が交換自在に付設されている。具体的には、図４に示すように、摺接片１２は、ねじから成る４個の固着具１３にて、第１アーム１の第１アーム本体１５に固着されている。
【００１４】
図２・図３に戻って、共鳴用第１中空室１４が、第１アーム１の摺接凹面５の裏面３３側の内部に、形成されている。第１中空室１４は、すり鉢状に形成される。
【００１５】
第２アーム２は、貫通孔１１と連通する上下方向の音噴出孔１７を有する。短筒体３は、短筒体３の一端４と摺接凹面５の摺接によって発生した音と共鳴し、この共鳴音のうち短筒体３の内部側のものが、音噴出孔１７から外部に噴出される。
【００１６】
図４・図５に示すように、摺接片１２は、年輪１８が、平面視に於て、短筒体３の一端４（図２・図３参照）と摺接する側に凸となるように、配設される。短筒体３の一端４と摺接凹面５が摺接したとき、年輪１８のような硬質の部分にて発音する。
【００１７】
図６に示すように、短筒体３の一端４に於ける厚さｔ１  は、３ｍｍ≦ｔ１  ≦７ｍｍに設定され、短筒体３の他端６に於ける厚さｔ２  は、  ０．５ｍｍ≦ｔ２  ≦３ｍｍに設定され、短筒体３の厚さｔは、一端４から他端６にかけて、なだらかに減少するように構成される。
【００１８】
厚さｔ１  が、ｔ１  ＜３ｍｍのときは、短筒体３の強度が小さく、短筒体３が破損しやすいという欠点がある。また、７ｍｍ＜ｔ１  のときは、短筒体３が、発生した擬音と共振しにくい。
【００１９】
厚さｔ２  が、ｔ２  ＜  ０．５ｍｍのときは、短筒体３の強度が小さく、短筒体３が破損しやすいという欠点がある。また、３ｍｍ＜ｔ２  のときは、短筒体３が、発生した擬音と共振しにくい。
【００２０】
図７・図８に示すように、短筒体３の他端６は、第２アーム２の圧接面７に微小角度揺動可能に圧接する。すなわち、短筒体３の外面１９（図２・図３・図６参照）と、第２アーム２の貫通孔１１の内面２０との間には、隙間２１が設けられている。短筒体３は、貫通孔１１によって、揺動が制限されている。図７に示す状態から矢印Ｘ方向（時計回り）に回転させると、図８に示す状態になる。逆に、図８に示す状態から矢印Ｙ方向（反時計回り）に回転させると、図７に示す状態になる。
【００２１】
図９は、第２の実施の形態を示し、第２アーム２は、貫通孔１１と連通する、ボルト９（図３参照）の長手方向と略平行な方向の音噴出孔１７，１７を有する。
【００２２】
図１０・図１１は、第３の実施の形態を示し、摺接片１２は、年輪１８が、平面視に於て、ボルト・ナット機構Ｂのボルト９（図３参照）の長手方向に、平行な年輪１８を多数有するように、配設される。
【００２３】
図１２・図１３は、第４の実施の形態を示し、第２アーム２は、第２アーム本体２２と、第２アーム本体２２の先端部３１に順次積層状に付設される木製の第１板片２３、第２板片２４を有する。すなわち、第１板片２３、第２板片２４は、ねじから成る４個の固着具２５にて、第２アーム本体２２に固着されている。第２アーム本体２２と第１板片２３の間に、共鳴用第２中空室２６が形成される。第１板片２３は、円形の孔２７を有するとともに、孔２７の周囲に圧接面７を有する。第２板片２４は、短筒体３の揺動を制限する矩形の孔２８を有する。
【００２４】
なお、本発明は、設計変更可能であって、例えば、第１アーム１、第２アーム２は、樹脂や金属等から成るも良い。
【００２５】
【発明の効果】
本発明は、上述の如く構成されるので、次に記載する効果を奏する。
【００２６】
（請求項１，２，３，４，５，６，７によれば）第１アーム１と第２アーム２を相互に圧接状に摺動させたときに、最初に、短筒体３の他端６に於て、低い音を多く発生させることができる。第１アーム１と第２アーム２を相互に揺動させたときに、短筒体３の他端６に於て、「キュ」という摩擦音が生じ、船をこいでいる船頭が手元をかえした時のような擬音を発生させることができる。
【００２７】
短筒体３の一端４は、摺接凹面５と摺接するので、短筒体３が薄くても割れにくく、かつ、ボルト９が一定方向に保持される。また、短筒体３を容易に交換することができ、長期間使用することができる。短筒体３を交換するのみで良いので、安価に修理することができる。さらに、小さな力で、第１アーム１と第２アーム２とを相互に揺動させることができる。
【００２８】
（請求項２によれば）摺接片１２を交換することにより、長期間使用することができる。摺接片１２を交換するのみで良いので、安価に修理することができる。
【００２９】
（請求項３によれば）短筒体３と第１アーム１の摺接凹面５を摺接させたときに、摺接凹面５の上下左右の４箇所に於て、発音させることができる。
（請求項４によれば）摺接凹面５に多くの年輪１８を出すことができるので、大きな音を発生させることができる。また、低コストにて製造することができる。
【００３０】
（請求項５によれば）短筒体３の一端４と摺接凹面５との摺接によって発生した音を、第１中空室１４にて共鳴させることができる。
（請求項６によれば）短筒体３が、短筒体３の一端４と摺接凹面５との摺接によって発生した音と共鳴しやすい。
（請求項７によれば）発生した擬音を外部に噴出しやすく、大きく響く。
【図面の簡単な説明】
【図１】本発明の使用状態を示す側面図である。
【図２】第１の実施の形態を示す正面図である。
【図３】要部拡大断面正面図である。
【図４】第１アームを示す側面図である。
【図５】第１アームを示す拡大平面図である。
【図６】短筒体を示す拡大断面正面図である。
【図７】第２アームを示す説明用要部側面図である。
【図８】第２アームを示す説明用要部側面図である。
【図９】第２の実施の形態に於ける第２アームを示す要部側面図である。
【図１０】第３の実施の形態に於ける第１アームを示す側面図である。
【図１１】第１アームの拡大平面図である。
【図１２】第４の実施の形態に於ける第２アームを示す側面図である。
【図１３】要部拡大断面正面図である。
【符号の説明】
１  第１アーム
２  第２アーム
３  （薄肉共鳴）短筒体
４  一端
５  摺接凹面
６  他端
７  圧接面
９  ボルト
１１  貫通孔
１２  摺接片
１４  （共鳴用）第１中空室
１５  第１アーム本体
１７  音噴出孔
１８  年輪
３０  先端部
３１  先端部
３２  先端部
３３  裏面
Ｂ  ボルト・ナット機構
ｔ  厚さ
ｔ１    厚さ
ｔ２    厚さ
【図１】
2004212764.tif 000003
【図２】
2004212764.tif 000004
【図３】
2004212764.tif 000005
【図４】
2004212764.tif 000006
【図５】
2004212764.tif 000007
【図６】
2004212764.tif 000008
【図７】
2004212764.tif 000009
【図８】
2004212764.tif 000010
【図９】
2004212764.tif 000011
【図１０】
2004212764.tif 000012
【図１１】
2004212764.tif 000013
【図１２】
2004212764.tif 000014
【図１３】
2004212764.tif 000015